(57)【要約】ローミングのステアリング（ＳｏＲ）に向けられた態様が開示される。一例では、パブリックランドモバイルネットワーク（ＰＬＭＮ）からの通信は、ユーザ機器（ＵＥ）によって受信され、ここで通信は、ＰＬＭＮへのＵＥ登録の受容を示す。この例は、ホームＰＬＭＮ（ＨＰＬＭＮ）に関連付けられたＳｏＲインジケータが通信内に埋め込まれているかどうかの決定を実行することをさらに含む。次いでＵＥは、決定に従ってＰＬＭＮ選択を管理する。別の例では、ＵＥは、ＳｏＲ構成に従って動作するように構成され、ここでＵＥは、ＳｏＲインジケータがＰＬＭＮからの通信内に埋め込まれているかどうかを確認するように構成される。次いで、ＨＰＬＭＮに関連付けられたＳｏＲインジケータが生成され、その後、ＰＬＭＮを介してＨＰＬＭＮからＵＥに送信される。【選択図】図３
2021520712.tif 000002
【特許請求の範囲】
【請求項１】
ワイヤレス通信デバイスにおいて動作可能な方法であって、
パブリックランドモバイルネットワーク（ＰＬＭＮ）から通信を受信することと、前記通信は、前記ＰＬＭＮへのユーザ機器（ＵＥ）登録の受容を示し、
ホームＰＬＭＮ（ＨＰＬＭＮ）に関連付けられたローミングのステアリング（ＳｏＲ）インジケータが前記通信内に埋め込まれているかどうかを確認することと、
前記ＳｏＲインジケータに従って前記ワイヤレス通信デバイスのためのＰＬＭＮ選択を管理することと、
を備える、方法。
【請求項２】
ワイヤレスサービスのためのローミングのステアリングを実行するように前記ワイヤレス通信デバイスを構成すること、
をさらに備える、請求項１に記載の方法。
【請求項３】
ワイヤレスサービスのためのローミングのステアリングを実行するように前記ワイヤレス通信デバイスを構成することは、前記ワイヤレス通信デバイスのユニバーサル加入者識別モジュール内にローミングのステアリングの情報を記憶することを含む、請求項２に記載の方法。
【請求項４】
前記ＨＰＬＭＮと共有される鍵に基づいて前記ＳｏＲインジケータに対して完全性検査を実行すること、
をさらに備える、請求項１に記載の方法。
【請求項５】
前記鍵は、認証サーバ機能（ＡＵＳＦ）鍵である、請求項４に記載の方法。
【請求項６】
前記鍵は、認証サーバ機能（ＡＵＳＦ）鍵から導出される、請求項４に記載の方法。
【請求項７】
前記通信の一部として受信されたメッセージ認証コード（ＭＡＣ−Ｓ）を使用して前記ＳｏＲインジケータの完全性を検証すること、
をさらに備える、請求項１に記載の方法。
【請求項８】
前記ＳｏＲインジケータが前記通信内に埋め込まれているかどうかを確認することは、前記ＳｏＲインジケータが前記通信内に埋め込まれていることを確認することを備え、
前記方法は、
前記ＳｏＲインジケータが完全性検査に合格するかどうかを確認することと、
前記ＳｏＲインジケータが前記完全性検査に不合格であった場合、
前記ＰＬＭＮの優先度を下げること、または、
前記ＰＬＭＮから代替ＰＬＭＮに切り替えること、
のうちの少なくとも１つを実行することと、
をさらに備える、請求項１に記載の方法。
【請求項９】
前記ＳｏＲインジケータが前記通信内に埋め込まれているかどうかを確認することは、前記ＳｏＲインジケータが前記通信内に埋め込まれていないことを確認することを備え、
前記方法は、
前記ＰＬＭＮの優先度を下げること、または、
前記ＰＬＭＮから代替ＰＬＭＮに切り替えること、
のうちの少なくとも１つを実行することをさらに備える、請求項１に記載の方法。
【請求項１０】
前記ＳｏＲインジケータが前記通信内に埋め込まれているかどうかを確認することは、前記ＳｏＲインジケータが前記通信内に埋め込まれていることを確認することを備え、
前記方法は、
前記ＳｏＲインジケータが完全性検査に合格するかどうかを確認することと、
前記通信に更新されたステアリング情報がさらに埋め込まれているかどうかを確認することと、
をさらに備える、請求項１に記載の方法。
【請求項１１】
前記ＳｏＲインジケータが前記完全性検査に合格する場合、前記方法は、
前記通信に更新されたステアリング情報が埋め込まれている場合、ステアリング情報を更新すること、
をさらに備える、請求項１０に記載の方法。
【請求項１２】
前記ＳｏＲインジケータが前記完全性検査に合格する場合、前記方法は、
前記通信に更新されたステアリング情報が埋め込まれていない場合、前記ＰＬＭＮとの接続を維持すること、
をさらに備える、請求項１０に記載の方法。
【請求項１３】
ワイヤレス通信デバイスであって、
パブリックランドモバイルネットワーク（ＰＬＭＮ）から通信を受信するように構成されたトランシーバと、前記通信は、前記ＰＬＭＮへのユーザ機器（ＵＥ）登録の受容を示し、
前記トランシーバに結合された処理回路と、
を備え、前記処理回路は、
ホームＰＬＭＮ（ＨＰＬＭＮ）に関連付けられたローミングのステアリング（ＳｏＲ）インジケータが前記通信内に埋め込まれているかどうかを確認することと、
前記ＳｏＲインジケータに従って前記ワイヤレス通信デバイスのためのＰＬＭＮ選択を管理することと、
を行うように構成される、ワイヤレス通信デバイス。
【請求項１４】
前記処理回路は、
前記ＨＰＬＭＮと共有される鍵に基づいて前記ＳｏＲインジケータに対して完全性検査を実行すること、
を行うようにさらに構成される、請求項１３に記載のワイヤレス通信デバイス。
【請求項１５】
前記鍵は、認証サーバ機能（ＡＵＳＦ）鍵であるか、または前記認証サーバ機能（ＡＵＳＦ）鍵から導出される、請求項１４に記載のワイヤレス通信デバイス。
【請求項１６】
前記処理回路は、
前記通信を受信すると、前記ＳｏＲインジケータが前記通信内に埋め込まれているかどうかを確認することと、
前記ＳｏＲインジケータが埋め込まれている場合、前記ＳｏＲインジケータが完全性検査に合格するかどうかを確認することと、
を行うようにさらに構成される、請求項１４に記載のワイヤレス通信デバイス。
【請求項１７】
前記処理回路は、
前記ＳｏＲインジケータが前記通信内に埋め込まれていないか、または前記ＳｏＲインジケータが前記完全性検査に不合格であった場合、前記ＰＬＭＮの優先度を下げるか、または代替ＰＬＭＮに切り替える、
ようにさらに構成される、請求項１６に記載のワイヤレス通信デバイス。
【請求項１８】
ネットワークエンティティにおいて動作可能な方法であって、
ローミングのステアリング（ＳｏＲ）構成に従って動作するようにユーザ機器（ＵＥ）を構成することと、ここにおいて、前記ＳｏＲ構成は、ＳｏＲインジケータがパブリックランドモバイルネットワーク（ＰＬＭＮ）からの通信内に埋め込まれているかどうかを確認するように前記ＵＥを構成することを備え、
前記ＳｏＲインジケータを取得することと、ここにおいて、前記ＳｏＲインジケータは、ホームＰＬＭＮ（ＨＰＬＭＮ）に関連付けられ、
前記ＰＬＭＮを介して前記ＵＥに前記ＳｏＲインジケータを送信することと、
を備える、方法。
【請求項１９】
前記ＳｏＲインジケータを取得することは、前記ＵＥと共有される鍵から前記ＳｏＲインジケータを導出することを備える、請求項１８に記載の方法。
【請求項２０】
前記鍵は、認証サーバ機能（ＡＵＳＦ）鍵であるか、または前記認証サーバ機能（ＡＵＳＦ）鍵から導出される、請求項１９に記載の方法。
【請求項２１】
送信の前にメッセージ認証コード（ＭＡＣ−Ｓ）を算出するために前記ＳｏＲインジケータを含めること、
をさらに備える、請求項１８に記載の方法。
【請求項２２】
前記ＳｏＲ構成は、前記ＰＬＭＮからの前記通信内に前記ＳｏＲインジケータが埋め込まれていないこと、または前記ＳｏＲインジケータが完全性検査に不合格であったこと、を前記ＵＥが確認した場合、前記ＰＬＭＮの優先度を下げるように前記ＵＥを構成することをさらに備える、請求項２１に記載の方法。
【請求項２３】
前記ＳｏＲ構成は、任意の代替ＰＬＭＮが利用可能である場合、前記ＰＬＭＮから代替ＰＬＭＮに切り替えるように前記ＵＥを構成することをさらに備える、請求項２１に記載の方法。
【請求項２４】
前記ＳｏＲ構成は、
前記ＰＬＭＮからの前記通信内に前記ＳｏＲインジケータが埋め込まれていること、および前記ＳｏＲインジケータが完全性検査に合格したこと、を前記ＵＥが確認した場合、前記ＰＬＭＮからの前記通信に更新されたステアリング情報がさらに埋め込まれているかどうかを確認するように前記ＵＥを構成すること、
をさらに備える、請求項１８に記載の方法。
【請求項２５】
前記ＳｏＲ構成は、
前記ＰＬＭＮからの前記通信に前記更新されたステアリング情報が埋め込まれている場合、ステアリング情報を更新し、
前記ＰＬＭＮからの前記通信に前記更新されたステアリング情報が埋め込まれていない場合、前記ＰＬＭＮとの接続を維持する、
ように前記ＵＥを構成することをさらに備える、請求項２４に記載の方法。
【請求項２６】
ネットワークデバイスであって、
１つまたは複数のユーザ機器と通信するためのトランシーバと、
前記トランシーバに結合された処理回路と、
を備え、ここにおいて、前記処理回路は、
ローミングのステアリング（ＳｏＲ）構成に従って動作するようにユーザ機器（ＵＥ）を構成することと、ここにおいて、前記ＳｏＲ構成が、ＳｏＲインジケータがパブリックランドモバイルネットワーク（ＰＬＭＮ）からの通信内に埋め込まれているかどうかを確認するように前記ＵＥを構成することを備え、
前記ＳｏＲインジケータを取得することと、ここにおいて、前記ＳｏＲインジケータは、ホームＰＬＭＮ（ＨＰＬＭＮ）に関連付けられ、
前記ＰＬＭＮを介して前記ＵＥに前記ＳｏＲインジケータを送信することと、
を行うように構成される、ネットワークデバイス。
【請求項２７】
前記ＳｏＲインジケータを取得することは、前記ＵＥと共有される鍵から前記ＳｏＲインジケータを導出することを備える、請求項２６に記載のネットワークデバイス。
【請求項２８】
前記鍵は、認証サーバ機能（ＡＵＳＦ）鍵であるか、または前記認証サーバ機能（ＡＵＳＦ）鍵から導出される、請求項２７に記載のネットワークデバイス。
【請求項２９】
前記処理回路は、
送信の前にメッセージ認証コード（ＭＡＣ−Ｓ）を算出するために前記ＳｏＲインジケータを含めるようにさらに構成される、請求項２６に記載のネットワークデバイス。
【発明の詳細な説明】
【優先権の主張】
【０００１】
［関連出願の相互参照］
[0001]  本特許出願は、２０１９年４月４日に米国特許庁に出願された非仮特許出願第１６／３７５、６９９号および２０１８年４月５日に米国特許庁に出願された仮特許出願第６２／６５３、２８１号に対する優先権を主張し、それらの全内容は、すべての適用可能な目的のためにそれらの全体が以下に完全に記載されているかのように参照により本明細書に組み込まれる。
【技術分野】
【０００２】
[0002]  以下で説明する技術は、一般にワイヤレス通信システムに関し、より詳細には、ローミングのステアリングを容易にするシステムおよび方法に関する。
【背景技術】
【０００３】
［イントロダクション］
[0003]  モバイルブロードバンドアクセスに対する需要が増加し続けるにつれて、研究開発は、モバイルブロードバンドアクセスに対する高まる需要を満たすためだけでなく、モバイル通信を用いたユーザエクスペリエンスを進化向上させるために、ワイヤレス通信技術を進化させ続けている。ローミングの進化は、例えば、ユーザ機器（ＵＥ）が加入者のサービスエリアの外にあるときでも、ＵＥがデータを送受信するためにローカルネットワークに接続することを可能にする。典型的には、加入者および加入者の通常のモバイルオペレータ（すなわち、ＵＥのホームネットワーク）の両方は、ローミングが、受容可能な価格およびネットワーク品質でローカルオペレータを介して行われることを好むであろう。ローミング中にホームネットワークがホスティングネットワークを選択するオプションは、ローミングのステアリング（ＳｏＲ）と呼ばれる。
【０００４】
[0004]  第５世代（５Ｇ）新無線（ＮＲ）アクセスネットワークでは、ＵＥのローミングを安全にステアリングする能力は、特に困難である。例えば、パブリックランドモバイルネットワーク（ＰＬＭＮ）は、ホームＰＬＭＮ（ＨＭＰＬＮ）から受信されたＳｏＲ情報を中継することを厭う（not be willing to relay）ことがあるので、ＵＥは、特定のＰＬＭＮから外れるようステアリングすべきかどうかを知り得ない可能性がある。したがって、５Ｇネットワーク内のＵＥのローミングを確実にステアリングするシステムおよび方法を開発することが望ましい。
【発明の概要】
【０００５】
[0005]  以下は、本開示の１つまたは複数の態様の基本的な理解を提供するために、そのような態様の簡略化された概要を提示する。この概要は、本開示の考慮されるすべての特徴の広範な概観ではなく、そして本開示のすべての態様の主要または重要な要素を特定するようにも、本開示の任意またはすべての態様の範囲を詳細に叙述するようにも、意図されていない。その唯一の目的は、後に提示されるより詳細な説明への前置きとして、本開示の１つまたは複数の態様のいくつか概念を簡略化された形式で提示することである。
【０００６】
[0006]  ユーザ機器またはＵＥ（例えば、スケジューリングされたエンティティ、モバイルデバイス、ワイヤレスデバイス、モバイルフォンなど）を対象とする様々な態様が開示される。一例では、通信は、パブリックランドモバイルネットワーク（ＰＬＭＮ）から受信され、ここで通信は、ＰＬＭＮへのＵＥ登録の受容を示す。この例は、ホームＰＬＭＮ（ＨＰＬＭＮ）に関連付けられたローミングのステアリング（ＳｏＲ）インジケータが通信内に埋め込まれているかどうかの決定を実行することをさらに含む。次いで、ＵＥは、決定に従ってＰＬＭＮ選択を管理する。
【０００７】
[0007]  ネットワークエンティティ（例えば、ＨＰＬＭＮまたはスケジューリングエンティティ）を対象とする様々な態様も開示される。特定の例では、ＵＥは、ＳｏＲ構成に従って動作するように構成され得、ここにおいてＵＥは、ＳｏＲインジケータがＰＬＭＮからの通信内に埋め込まれているかどうかを決定するように構成される。次いで、ＨＰＬＭＮに関連付けられたＳｏＲインジケータが生成され、その後、ＰＬＭＮを介してＨＰＬＭＮからＵＥに送信される。
【０００８】
[0008]  本発明のこれらの態様および他の態様は、以下の詳細な説明を検討することでより完全に理解されるであろう。本発明の他の態様、特徴、および実施形態は、添付の図面と併せて本発明の特定の例示的な実施形態の以下の説明を検討すると、当業者に明らかになるであろう。本発明の特徴は、ある特定の実施形態および図に関連して以下で説明され得るが、本発明のすべての実施形態は、ここで説明される有利な特徴のうちの１つまたは複数を含むことができる。言い換えれば、１つまたは複数の実施形態が、ある特定の有利な特徴を有するものとして説明され得るが、そのような特徴のうちの１つまたは複数はまた、ここで説明される本発明の様々な実施形態に従って使用され得る。同様に、例示的な実施形態は、デバイス、システム、または方法の実施形態として以下で説明され得るが、そのような例示的な実施形態は、様々なデバイス、システム、および方法でインプリメントされることができることは理解されるべきである。
【０００９】
[0009]  第１の態様は、ワイヤレス通信デバイスにおいて動作可能な方法であって、（ａ）ワイヤレスサービスのためのローミングのステアリングを実行するようにワイヤレス通信デバイスを構成することと、（ｂ）パブリックランドモバイルネットワーク（ＰＬＭＮ）から通信を受信すること、通信が、ＰＬＭＮへのユーザ機器（ＵＥ）登録の受容を示す、と、（ｃ）ホームＰＬＭＮ（ＨＰＬＭＮ）に関連付けられたローミングのステアリング（ＳｏＲ）インジケータが通信内に埋め込まれているかどうかを確認することと、および／または（ｄ）ＳｏＲインジケータに従ってワイヤレス通信デバイスのためのＰＬＭＮ選択を管理することと、を備える、ワイヤレス通信デバイスにおいて動作可能な方法を提供する。ワイヤレスサービスのためのローミングのステアリングを実行するようにワイヤレス通信デバイスを構成することは、ワイヤレス通信デバイスのユニバーサル加入者識別モジュール内にローミングのステアリングの情報を記憶することを含み得る。
【００１０】
[0010]  さらに、完全性（integrity）検査は、ＨＰＬＭＮと共有される鍵に基づいてＳｏＲインジケータ上で実行され得る。一例では、鍵は、認証サーバ機能（ＡＵＳＦ）鍵であり得る。
【００１１】
[0011]  別の例では、鍵は、認証サーバ機能（ＡＵＳＦ）鍵から導出され得る。
【００１２】
[0012]  方法は、通信の一部として受信されたメッセージ認証コード（ＭＡＣ−Ｓ）を使用してＳｏＲインジケータの完全性を検証することをさらに含み得る。
【００１３】
[0013]  １つの実装形態によれば、ＳｏＲインジケータが通信内に埋め込まれているかどうかを確認することは、ＳｏＲインジケータが通信内に埋め込まれていることを確認することを備え得、方法は、（ａ）ＳｏＲインジケータが完全性検査に合格するかどうかを確認することと、（ｂ）ＳｏＲインジケータが完全性検査に不合格であった場合、（１）ＰＬＭＮの優先度を下げること、または（２）そのＰＬＭＮから代替ＰＬＭＮに切り替えること、のうちの少なくとも１つを実行することと、をさらに備え得る。
【００１４】
[0014]  別の実装形態によれば、ＳｏＲインジケータが通信内に埋め込まれているかどうかを確認することは、ＳｏＲインジケータが通信内に埋め込まれていないことを確認することを備え得、方法は、（１）ＰＬＭＮの優先度を下げること、または（ｂ）そのＰＬＭＮから代替ＰＬＭＮに切り替えること、のうちの少なくとも１つを実行することと、をさらに備え得る。
【００１５】
[0015]  さらに別の実装形態によれば、ＳｏＲインジケータが通信内に埋め込まれているかどうかを確認することは、ＳｏＲインジケータが通信内に埋め込まれていることを確認することを備え得、方法は、（ａ）ＳｏＲインジケータが完全性検査に合格するかどうかを確認することと、（ｂ）通信に更新されたステアリング情報がさらに埋め込まれているかどうかを確認することと、をさらに備える。一例では、ＳｏＲインジケータが完全性検査に合格する場合、方法は、通信に更新されたステアリング情報が埋め込まれている場合、ステアリング情報を更新することをさらに備え得る。別の例では、ＳｏＲインジケータが完全性検査に合格する場合、方法は、通信に更新されたステアリング情報が埋め込まれていない場合、ＰＬＭＮとの接続を維持することをさらに備え得る。
【００１６】
[0016]  第２の態様は、トランシーバと処理回路とを備えるワイヤレス通信デバイスを提供する。トランシーバは、パブリックランドモバイルネットワーク（ＰＬＭＮ）から通信を受信するように構成され、通信は、ＰＬＭＮへのユーザ機器（ＵＥ）登録の受容を示す。処理回路は、（ａ）ホームＰＬＭＮ（ＨＰＬＭＮ）に関連付けられたローミングのステアリング（ＳｏＲ）インジケータが通信内に埋め込まれているかどうかを確認し、（ｂ）ＳｏＲインジケータに従ってワイヤレス通信デバイスのためのＰＬＭＮ選択を管理するように構成され得る。
【００１７】
[0017]  処理回路は、ＨＰＬＭＮと共有される鍵に基づいてＳｏＲインジケータに対して完全性検査を実行するようにさらに構成され得る。一例では、鍵は、認証サーバ機能（ＡＵＳＦ）鍵であり得るか、または認証サーバ機能（ＡＵＳＦ）鍵から導出される。
【００１８】
[0018]  処理回路は、（ａ）通信を受信すると、ＳｏＲインジケータが通信内に埋め込まれているかどうかを確認し、（ｂ）ＳｏＲインジケータが埋め込まれている場合、ＳｏＲインジケータが完全性検査に合格するかどうかを確認するようにさらに構成され得る。一例では、処理回路は、ＳｏＲインジケータが通信内に埋め込まれていないか、またはＳｏＲインジケータが完全性検査に不合格であった場合、ＰＬＭＮの優先度を下げるか、または代替ＰＬＭＮに切り替えるようにさらに構成される。
【００１９】
[0019]  第３の態様は、ネットワークエンティティにおいて動作可能な方法を処理し、（ａ）ローミングのステアリング（ＳｏＲ）構成に従って動作するようにユーザ機器（ＵＥ）を構成することと、ここにおいて、ＳｏＲ構成は、ＳｏＲインジケータがパブリックランドモバイルネットワーク（ＰＬＭＮ）からの通信内に埋め込まれているかどうかを確認するようにＵＥを構成することを備え、（ｂ）ＳｏＲインジケータを取得することと、ここにおいて、ＳｏＲインジケータは、ホームＰＬＭＮ（ＨＰＬＭＮ）に関連付けられ、および／または（ｃ）ＰＬＭＮを介してＵＥにＳｏＲインジケータを送信することと、を備える。
【００２０】
[0020]  一例では、ＳｏＲインジケータを取得することは、ＵＥと共有される鍵からＳｏＲインジケータを導出することを備え得る。例えば、鍵は、認証サーバ機能（ＡＵＳＦ）鍵であり得、または認証サーバ機能（ＡＵＳＦ）鍵から導出される。
【００２１】
[0021]  方法は、送信の前にメッセージ認証コード（ＭＡＣ−Ｓ）を算出するためにＳｏＲインジケータを含めることをさらに備え得る。
【００２２】
[0022]  一例では、ＳｏＲ構成は、ＰＬＭＮからの通信内にＳｏＲインジケータが埋め込まれていないこと、またはＳｏＲインジケータが完全性検査に不合格であったことをＵＥが確認した場合、ＰＬＭＮの優先度を下げるようにＵＥを構成することをさらに備え得る。別の例では、ＳｏＲ構成は、任意の代替ＰＬＭＮが利用可能である場合、ＰＬＭＮから代替ＰＬＭＮに切り替えるようにＵＥを構成することをさらに備え得る。
【００２３】
[0023]  別の事例では、ＳｏＲ構成は、ＰＬＭＮからの通信内にＳｏＲインジケータが埋め込まれていること、およびＳｏＲインジケータが完全性検査に合格したことをＵＥが確認した場合、ＰＬＭＮからの通信に更新されたステアリング情報がさらに埋め込まれているかどうかを確認するようにＵＥを構成することをさらに備え得る。ＳｏＲ構成は、（ａ）ＰＬＭＮからの通信に更新されたステアリング情報が埋め込まれている場合、ステアリング情報を更新し、（ｂ）ＰＬＭＮからの通信に更新されたステアリング情報が埋め込まれていない場合、ＰＬＭＮとの接続を維持するようにＵＥを構成することをさらに備え得る。
【００２４】
[0024]  第４の態様は、トランシーバと処理回路とを備えるネットワークデバイスを提供する。トランシーバは、１つまたは複数のユーザ機器と通信するように機能し得る。処理回路は、（ａ）ローミングのステアリング（ＳｏＲ）構成に従って動作するようにユーザ機器（ＵＥ）を構成することと、ここにおいて、ＳｏＲ構成は、ＳｏＲインジケータがパブリックランドモバイルネットワーク（ＰＬＭＮ）からの通信内に埋め込まれているかどうかを確認するようにＵＥを構成することを備え、（ｂ）ＳｏＲインジケータを取得することと、ここにおいて、ＳｏＲインジケータは、ホームＰＬＭＮ（ＨＰＬＭＮ）に関連付けられ、および／または（ｃ）ＰＬＭＮを介してＵＥにＳｏＲインジケータを送信することと、を行うように構成され得る。ＳｏＲインジケータを取得することは、ＵＥと共有される鍵からＳｏＲインジケータを導出することを備え得る。一例では、鍵は、認証サーバ機能（ＡＵＳＦ）鍵であり得るか、または認証サーバ機能（ＡＵＳＦ）鍵から導出される。処理回路は、送信の前にメッセージ認証コード（ＭＡＣ−Ｓ）を算出するためにＳｏＲインジケータを含めるようにさらに構成され得る。
【図面の簡単な説明】
【００２５】
【図１】[0025]  図１は、本明細書で開示する態様による、ローミングのステアリング（ＳｏＲ）を容易にする例示的なシステムを示すブロック図である。
【図２】[0026]  図２は、パブリックランドモバイルネットワーク（ＰＬＭＮ）への例示的なユーザ機器（ＵＥ）登録を示すタイミング図である。
【図３】[0027]  図３は、本明細書で開示する態様による、ＳｏＲインジケータを送信することを容易にする例示的なプロセスを示すタイミング図である。
【図４】[0028]  図４は、ワイヤレス通信システムの概略図である。
【図５】[0029]  図５は、無線アクセスネットワークの例の概念図である。
【図６】[0030]  図６は、本明細書で開示する態様による、処理システムを採用するネットワークエンティティのためのハードウェア実装形態の一例を示すブロック図である。
【図７】[0031]  図７は、本開示のいくつかの態様を容易にする例示的なネットワークエンティティプロセスを示すフローチャートである。
【図８】[0032]  図８は、本明細書で開示する態様による、処理システムを採用するユーザ機器のためのハードウェア実装形態の一例を示すブロック図である。
【図９】[0033]  図９は、本開示のいくつかの態様を容易にする例示的なユーザ機器プロセスを示すフローチャートである。
【図１０】[0034]  図１０は、ワイヤレスデバイスまたはユーザ機器／デバイス（ＵＥ）内でローミングのステアリング（ＳｏＲ）を実装するための別の例示的な方法を示す。
【詳細な説明】
【００２６】
[0035]  添付の図面に関して以下に記載される詳細な説明は、様々な構成の説明として意図されており、本明細書で説明される概念が実施され得るのはこれらの構成のみにおいてであることを表すように意図されたものではない。詳細な説明は、様々な概念の完全な理解を提供する目的で具体的な詳細を含む。しかしながら、これらの概念がこれらの具体的な詳細なしに実施され得ることは、当業者には明らかであろう。いくつかの事例では、そのような概念を不明瞭にすることを避けるために、周知の構造および構成要素がブロック図の形態で示される。
【００２７】
[0036]  態様および実施形態は、いくつかの例への例示によって本出願において説明されるが、当業者は、追加の実装および使用事例が多くの異なる構成およびシナリオにおいて生じ得ることを理解するであろう。本明細書に記載される革新は、多くの異なるプラットフォームタイプ、デバイス、システム、形状、サイズ、パッケージング構成にわたって実装され得る。例えば、実施形態および／または使用は、集積チップ実施形態および他の非モジュール構成要素ベースのデバイス（例えば、エンドユーザデバイス、車両、通信デバイス、コンピューティングデバイス、産業機器、小売／購入デバイス、医療デバイス、ＡＩ対応デバイスなど）を介して生じ得る。いくつかの例は、使用事例または用途を具体的に対象とする場合もあるし、対象としない場合もあるが、説明される革新の適用可能性の幅広い分類が生じ得る。実装形態は、チップレベルまたはモジュール式構成要素から非モジュール式、非チップレベル実装形態に、さらには、説明される革新の１つまたは複数の態様を組み込むアグリゲート、分散、またはＯＥＭデバイスまたはシステムに及び得る。いくつかの実際的な設定では、説明される態様および特徴を組み込むデバイスはまた、特許請求され、説明される実施形態の実装および実践のための追加の構成要素および特徴を必然的に含み得る。例えば、無線信号の送信および受信は、必然的に、アナログおよびデジタル目的のためのいくつかの構成要素（例えば、アンテナ、ＲＦチェーン、電力増幅器、変調器、バッファ、プロセッサ（１つまたは複数）、インタリーバ、加算器／加算器（adders/summers）などを含むハードウェア構成要素）を含む。本明細書で説明する革新は、様々なサイズ、形状および構造の多種多様なデバイス、チップレベル構成要素、システム、分散構成、エンドユーザデバイスなどにおいて実施され得ることが意図される。
【００２８】
[0037]  本明細書で使用される場合、無線アクセス技術（ＲＡＴ）は、ワイヤレスエアインタフェースを介した無線アクセスおよび通信のために利用される技術または通信規格の１タイプである。ＲＡＴのほんのいくつかの例は、モバイル通信のためのグローバルシステム（ＧＳＭ（登録商標））、ユニバーサル地上無線アクセス（ＵＴＲＡ）、発展型ＵＴＲＡ（Ｅ−ＵＴＲＡ）、ロングタームエボリューション（ＬＴＥ（登録商標））、Ｂｌｕｅｔｏｏｔｈ（登録商標）、およびＷｉ−Ｆｉを含む。
【００２９】
[0038]  さらに、新無線（ＮＲ）という用語は、リリース１５における３ＧＰＰ（登録商標）による定義および標準化を受けている新無線アクセス技術と５Ｇ技術とを指し得る。
［概要］
[0039]  前述のように、ローミングのステアリング（ＳｏＲ）は、ホームネットワークが、ユーザ機器（ＵＥ）を、所与のロケーションにおけるそれらの好ましいローミングパートナーを介して接続するようにリダイレクトすることを可能にする。本明細書で開示する態様は、概して、ＵＥ登録プロセス中に（すなわち、如何なるユーザプレーンデータがＵＥによって送信されるよりも前に）制御プレーンメッセージを使用して第５世代（５Ｇ）新無線（ＮＲ）アクセスネットワーク内のＳｏＲを容易にすることを対象とする。
【００３０】
[0040]  本明細書で開示する特定の態様は、訪問されている（すなわち、ローミング）ネットワークがＵＥのホームネットワークから受信されたステアリング情報を中継するために信頼できないときでも有効である５Ｇ  ＳｏＲ方法を対象とする。例えば、ＳｏＲ能力を望むホームネットワークが、ＵＥ登録の一部として、訪問されている（すなわち、ローミング）ネットワークを介してＳｏＲインジケータをＵＥに送信するＳｏＲ方法が開示され、ここでＵＥは、ＨＰＬＭＮによって構成され、ＳｏＲインジケータが実際に受信されるかどうかに基づいて、登録プロセスの一部としてＵＥにおいてローミングのステアリングのプロシージャを開始するかどうかを決定する。ＨＰＬＭＮがＵＥを構成しない場合、ＵＥは、ＳｏＲプロシージャの実行をスキップする。ＵＥがローミングのステアリングを実行するように構成され、ＳｏＲインジケータが受信されない（またはＳｏＲインジケータの完全性検査が不合格である）場合、例えば、ＵＥは、可能であれば、代替ローミングネットワークに接続しようと試みるべきであることをＵＥが知るように、現在訪問されている（すなわち、ローミング）ネットワークを最低優先度レベルに設定するように構成され得る。しかしながら、ＳｏＲインジケータが実際に受信された（およびＳｏＲインジケータが完全性検査に合格した）場合には、ＵＥは、現在訪問されている（すなわち、ローミング）ネットワークを介してホームネットワークからのステアリング情報もまた受信されるかどうかに従ってローミングをステアリングするように構成され得る。例えば、追加のステアリング情報なしでＳｏＲインジケータが受信される場合、ＵＥは、現在訪問されている（すなわち、ローミング）ネットワークに留まるように構成され得る。すなわち、ホームネットワークが、現在訪問されている（すなわち、ローミング）ネットワークが受容可能であると結論付ける場合、ホームネットワークは、追加のステアリング情報なしにＳｏＲインジケータをＵＥに送ることによって、その結論を伝え得る。しかしながら、ホームネットワークが、現在訪問されている（すなわち、ローミング）ネットワークが受容可能でないと結論付ける場合、そのような結論は、追加のステアリング情報とともにＳｏＲインジケータをＵＥに送ることによって通信され得る。次いで、ＵＥは、ホームネットワークから受信されたステアリング情報に従ってローミングをステアリングするために、その加入者識別モジュール（ＳＩＭ）もしくはユニバーサルＳＩＭ（ＵＳＩＭ）内の、またはその内部メモリ内のＰＬＭＮ／ＲＡＴネットワーク選択情報を更新し得る。
【００３１】
[0041]  次に図１を参照すると、本明細書で開示する態様による、ＳｏＲ方法を容易にする例示的なシステムを示すブロック図が提供される。ここで、ＵＥ１００はＳｏＲ能力を用いて構成され、ここでこの特定の例におけるＵＥ１００はパブリックランドモバイルネットワーク（ＰＬＭＮ）１１４に登録しようと試みるものと仮定する。本明細書で開示する態様によれば、ＵＥ１００のホームＰＬＭＮ（ＨＰＬＭＮ）１２０は、登録プロセス中にＰＬＭＮ１１４からの通信内に埋め込まれたＳｏＲインジケータを探索するようにＵＥ１００を構成することによって、ＵＥ１００を複数のＰＬＭＮ１１０、１１２、１１４、または１１６のいずれかにステアリングし得ることが企図される。前述のように、ＰＬＭＮ１１４がＨＰＬＭＮ１２０によって生成されたＳｏＲインジケータを転送するかどうかは不明であるので、本明細書で開示するＳｏＲ方法は、ＳｏＲインジケータがＰＬＭＮ１１４から受信されない場合でも、所望のステアリング動作を推測するようにＵＥ１００を構成する。例えば、ＳｏＲインジケータが受信されない（またはＳｏＲインジケータの完全性検査が不合格である）場合、ＵＥ１００は、可能な場合、代替ＰＬＭＮ１１０、１１２、または１１６のいずれかに接続することを優先すべきであることをＵＥ１００が知るように、ＰＬＭＮ１１４を最低優先度レベルに設定するように構成され得る。そうではなく、ＳｏＲインジケータが実際に受信された（およびＳｏＲインジケータが完全性検査に合格した）場合には、ＵＥ１００は、ＨＰＬＭＮ１２０からのステアリング情報もまたＰＬＭＮ１１４を介して受信されたかどうかに従ってローミングをステアリングするように構成され得る。例えば、追加のステアリング情報なしでＳｏＲインジケータが受信される場合、ＵＥは、ＰＬＭＮ１１４に留まるように構成され得る。そうではなく、ＳｏＲインジケータが追加のステアリング情報（例えば、ローミングリスト）とともに受信された場合には、ＵＥ１００は、その内部メモリもしくはＳＩＭ上に維持されたそのネットワーク選択情報またはステアリング情報を更新して、更新されたステアリング情報（例えば、更新されたローミングリスト）に従ってローミングをステアリングし得、これは、代替ＰＬＭＮ１１０、１１２、または１１６のいずれかをＰＬＭＮ１１４よりも優先することを含み得る。
【００３２】
[0042]  次に図２を参照すると、参照のために、ＰＬＭＮとの従来のＵＥ登録プロセスを示すタイミング図が提供される。図示されたように、そのようなプロセスは、ＵＥ２００がＵＥ登録要求をＰＬＭＮ２１０に送ることで始まり、ここでＰＬＭＮ２１０は、アクセスおよびモビリティ管理機能（ＡＭＦ）とセキュリティアンカー機能（ＳＥＡＦ）とを含み得る。次いで、ＰＬＭＮ２１０は、ＨＰＬＭＮ２２０の認証サーバ機能（ＡＵＳＦ）２２２に（例えば、サブスクリプション隠蔽識別子（ＳＵＣＩ）を利用して）ＵＥ認証要求を送り、それは次いで、ＨＰＬＭＮ２２０の統合データ管理（ＵＤＭ：unified data management）２２４に転送される。図示されたように、ＵＥ２００は次いで、（例えば、５Ｇ認証および鍵合意（５Ｇ  ＡＫＡ：5G Authentication and Key Agreement）プロトコルまたは拡張可能認証プロトコル認証および鍵合意（ＥＡＰ−ＡＫＡ’）を介して）ＨＰＬＭＮ２２０によって認証され、その後、ＵＥ２００およびＨＰＬＭＮ２２０における鍵（例えば、ＫＡＵＳＦ＆ＫＳＥＡＦ）の導出が続く。鍵の導出後、ＡＵＳＦ２２２は、ＫＳＥＡＦおよびサブスクリプション永久識別子（ＳＵＰＩ:Subscription Permanent Identifier）を含み得る認証応答をＰＬＭＮ２１０に送る。ＡＵＳＦ２２２から認証応答を受信すると、ＰＬＭＮ２１０は、非アクセス層（ＮＡＳ）セキュリティモードコマンド（ＳＭＣ）をＵＥ２００に送信する。次いで、ＵＥ２００は、ＮＡＳ  ＳＭＣ完了通知をＰＬＭＮ２１０に提供し、ＰＬＭＮ１０２は続いて、図示された通りＵＥ２００にその登録が受け入れられたことを通知する。
【００３３】
[0043]  次に図３を参照すると、本明細書で開示する態様による、ＳｏＲインジケータを送信することを容易にする例示的なＵＥ登録プロセスを示すタイミング図が提供される。ここで、ステップ３００、３１０、３２０、３３０、および３４０は、図２に示されたプロセスとは異なることを理解されたい。例えば、ＨＰＬＭＮ２２０は、ＵＥ２００がＳｏＲ能力を有することを望まないことがあるので、ＵＥは、ＳｏＲ能力が望まれるかどうかに従って最初に構成３００され得ることが企図され、ここでそのような構成は、ユニバーサルＳＩＭ（ＵＳＩＭ）および／またはモバイルエンティティ（ＭＥ）を構成することを備え得る。ＵＥ２００がＳｏＲ能力のために構成されていない場合には、ＵＥ２００は、そのようなステアリング３４０をスキップするか、省略するか、控え得る。
【００３４】
[0044]  ＨＰＬＭＮ２２０が本明細書で開示する態様に従ってＳｏＲをサポートする場合、ＳｏＲインジケータがＨＰＬＭＮ２２０によって生成３１０される。すなわち、ＨＰＬＭＮ２２０は、ＵＥ２００がＰＬＭＮ２１０から外れるようにステアリングされるべきかどうかを決定するために、ＵＥ登録プロセス中に収集された情報を利用することが企図される。ステアリングが実際に望まれる場合、ＨＰＬＭＮ２２０は、ＳｏＲインジケータに加えて、ステアリング情報（例えば、ＵＥがローミングするために使用することができるローミングリスト）を生成する。一例では、ＳｏＲインジケータ生成は、付随する更新されたローミングリスト（すなわち、更新されたステアリング情報）を含み得る。そうではなく、ＨＰＬＭＮ２２０がステアリングが必要でない（すなわち、ＰＬＭＮ２１０が受容可能である）と結論付けた場合、ＨＰＬＭＮ２２０は単純に、ステアリング情報を含まずにＳｏＲインジケータを生成し得る。
【００３５】
[0045]  本明細書で開示する特定の態様では、ＳｏＲインジケータは、ＨＰＬＭＮ２２０によって生成３１０されたメッセージ認証コード（ＭＡＣ−Ｓ）内に埋め込まれることが企図される。次いで、ＭＡＣ−Ｓは、（例えば、認証応答メッセージの一部として）ステアリング情報（ステアリング情報が必要とされる場合）とともにＰＬＭＮ２１０に送られ３２０、続いて（例えば、登録受容メッセージの一部として）ＵＥ２００に転送され得る３３０。
【００３６】
[0046]  ＳｏＲインジケータをＭＡＣ−Ｓ内に埋め込むことによって、ＳｏＲインジケータの完全性が保護され得ることを理解されたい。この目的のために、本明細書で開示するＳｏＲ方法はまた、ＵＥ２００に、ＰＬＭＮ２１０から受信されたＭＡＣ−Ｓに対して（例えば、ＵＥ２００のＭＥを介して）完全性検査を実行させることを含み得ることをさらに理解されたい。すなわち、ＵＥ２００は、ステアリング３４０を実行する前に、ＭＡＣ−Ｓが受信されたかどうかと、そのような受信されたＭＡＣ−Ｓの完全性（integrity）が確かめられるまたは検証されることができるかどうかとの両方を決定するように構成され得ることが企図される。例えば、ＵＥ２００は、例えば、同じ鍵導出関数ＫＤＦおよびステアリング情報を使用することによって、受信されたＭＡＣ−Ｓのローカルバージョンを計算／算出し得、受信されたＭＡＣ−Ｓおよびローカルに計算されたＭＡＣ−Ｓが同じであるかどうかを確かめる。ＭＡＣ−Ｓを検証する他の方法も本明細書で企図される。ローカルに計算されたＭＡＣ−Ｓが受信されたＭＡＣ−Ｓと同じである場合、完全性の検証に成功する。ＭＡＣ−Ｓが受信されないか、または完全性検査が不合格である場合、ＵＥ２００は、可能な場合、代替ＰＬＭＮに接続することを優先すべきであることをＵＥ２００が知るように、ＰＬＭＮ２１０を最低優先度レベルに設定するように構成され得る。
【００３７】
[0047]  そうではなく、ＭＡＣ−Ｓが実際に受信され、それが完全性検査に合格する場合、ＵＥ２００は、受信された通信３３０がステアリング情報（例えば、ローミングリスト）を含んでいたかどうかを決定し得る。ステアリング情報が実際に含まれていた場合、ＵＥ２００は、そのネットワーク選択情報を更新し、次いで、（例えば、受信されたステアリング情報に従って）ＰＬＭＮ選択を実行するものとする。そうではなく、ステアリング情報が含まれていなかった場合、ＵＥ２００は単純にＰＬＭＮ２１０との接続を維持する。
【００３８】
[0048]  本開示の別の態様では、ＳｏＲインジケータの完全性は、ＵＥ２００とＨＰＬＭＮ２２０との間で共有される鍵（例えば、ＫＡＵＳＦまたはそれから導出された鍵（１つまたは複数））を利用することによってさらに保護され得ることが企図される。例えば、ＨＰＬＭＮ２２０は、ＳＨＡ２５６などの鍵導出関数（ＫＤＦ）に従って、ＫＡＵＳＦからＭＡＣ−Ｓ（ＳｏＲインジケータ）を導出／生成／算出３１０し得、ここで、以下の通りである。
ＭＡＣ−Ｓ＝ＫＤＦ（ＫＡＵＳＦ，＜ｓｔｅｅｒｉｎｇ  ｉｎｆｏ＞，Ｆｕｎｃｔｉｏｎ  Ｃｏｄｅ）
ここで、ステアリング情報が必要とされない場合、ステアリング情報フィールドは、ヌル（すなわち、ｘ００値）に設定され得るか、または省略され得ることを理解されたい。固定長のＫＤＦ出力（例えば、６４または１２８最下位ビット（least significant bits））がＭＡＣ−Ｓとして使用され得ることも理解されたい。
［例示的なワイヤレス通信環境］
[0049]  本開示全体にわたって提示される様々な概念は、多種多様な電気通信システム、ネットワークアーキテクチャ、および通信規格にわたって実装され得る。ここで図４を参照すると、限定ではなく例示的な例として、本開示の様々な態様がワイヤレス通信システム４００を参照して示されている。ワイヤレス通信システム４００は、３つの相互作用している領域、つまりコアネットワーク４０２、無線アクセスネットワーク（ＲＡＮ）４０４、およびユーザ機器（ＵＥ）４０６を含む。ワイヤレス通信システム４００によって、ＵＥ４０６は、（限定はしないが）インターネットなどの外部データネットワーク４１０とのデータ通信を実行することが可能になり得る。
【００３９】
[0050]  ＲＡＮ４０４は、ＵＥ４０６への無線アクセスを提供するための任意の適切な１つまたは複数のワイヤレス通信技術を実装し得る。一例として、ＲＡＮ４０４は、しばしば５Ｇと呼ばれる第３世代パートナーシッププロジェクト（３ＧＰＰ）新無線（ＮＲ）仕様に従って動作し得る。別の例として、ＲＡＮ４０４は、５Ｇ  ＮＲと、しばしばＬＴＥと呼ばれる発展型ユニバーサル地上無線アクセスネットワーク（ｅＵＴＲＡＮ）規格とのハイブリッドの下で動作し得る。３ＧＰＰは、このハイブリッドＲＡＮを次世代ＲＡＮまたはＮＧ−ＲＡＮと呼ぶ。もちろん、多くの他の例が本開示の範囲内で利用され得る。
【００４０】
[0051]  図示されたように、ＲＡＮ４０４は複数の基地局４０８を含む。概して、基地局は、ＵＥへの、またはＵＥからの１つまたは複数のセルにおける無線送信および受信を担う無線アクセスネットワーク中のネットワーク要素である。異なる技術、規格、またはコンテキストでは、基地局は、当業者によって、トランシーバ基地局（ＢＴＳ）、無線基地局、無線トランシーバ、トランシーバ機能、基本サービスセット（ＢＳＳ）、拡張サービスセット（ＥＳＳ）、アクセスポイント（ＡＰ）、ノードＢ（ＮＢ）、ｅノードＢ（ｅＮＢ）、ｇノードＢ（ｇＮＢ）、または何らかの他の適切な用語で様々に呼ばれ得る。
【００４１】
[0052]  無線アクセスネットワーク４０４は、複数のモバイル装置のためのワイヤレス通信をサポートするようにさらに示される。モバイル装置は、３ＧＰＰ規格ではユーザ機器（ＵＥ）と呼ばれ得るが、当業者によって、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末（ＡＴ）、モバイル端末、ワイヤレス端末、リモート端末、ハンドセット、端末、ユーザエージェント、モバイルクライアント、クライアント、または何らかの他の適切な用語で呼ばれる可能性もある。ＵＥは、ネットワークサービスへのアクセスをユーザに提供する装置であり得る。
【００４２】
[0053]  本文書内で、「モバイル」装置は、必ずしも移動する能力を有する必要はなく、静止していてもよい。モバイル装置またはモバイルデバイスという用語は、多種多様なデバイスおよび技術を広く指す。ＵＥは、通信に役立つようにサイズ決定され、成形され、構成された、いくつかのハードウェア構造構成要素を含み得、そのような構成要素は、互いに電気的に結合されたアンテナ、アンテナアレイ、ＲＦチェーン、増幅器、１つまたは複数のプロセッサなどを含むことができる。例えば、モバイル装置のいくつかの非限定的な例は、モバイル、セルラ（セル）電話、スマートフォン、セッション開始プロトコル（ＳＩＰ）電話、ラップトップ、パーソナルコンピュータ（ＰＣ）、ノートブック、ネットブック、スマートブック、タブレット、携帯情報端末（ＰＤＡ）、および、例えば、「モノのインターネット」（ＩｏＴ）に対応する幅広い組込みシステムを含む。モバイル装置はさらに、自動車または他の輸送車両、リモートセンサまたはアクチュエータ、ロボットまたはロボットデバイス、衛星ラジオ、全地球測位システム（ＧＰＳ）デバイス、オブジェクト追跡デバイス、ドローン、マルチコプタ、クアッドコプタ、リモート制御デバイス、コンシューマおよび／またはウェアラブルデバイス、例えば、アイウェア、ウェアラブルカメラ、仮想現実デバイス、スマートウォッチ、ヘルスまたはフィットネストラッカ、デジタルオーディオプレーヤ（例えば、ＭＰ３プレーヤ）、カメラ、ゲームコンソールなどであり得る。モバイル装置は、さらに、デジタルホームまたはスマートホームデバイス、例えば、ホームオーディオ、ビデオ、および／またはマルチメディアデバイス、電化製品、自動販売機、インテリジェント照明、ホームセキュリティシステム、スマートメータなどであり得る。モバイル装置は、さらに、スマートエネルギーデバイス、セキュリティデバイス、ソーラーパネルまたはソーラーアレイ、電力（例えば、スマートグリッド）、照明、水などを制御する自治体インフラストラクチャデバイス、工業オートメーションおよびエンタープライズデバイス、ロジスティクスコントローラ、農業機器、軍事防衛機器、車両、航空機、船舶、および兵器などであり得る。さらに、モバイル装置は、接続された医療または遠隔医療サポート、例えば距離の離れたヘルスケアを提供し得る。テレヘルスデバイスは、テレヘルス監視デバイスおよびテレヘルス管理デバイスを含み得、その通信には、例えば、重要なサービスデータのトランスポートのための優先されたアクセス、および／または重要なサービスデータのトランスポートのための関連するＱｏＳに関して、他のタイプの情報よりも優遇された措置または優先されたアクセスが与えられ得る。
【００４３】
[0054]  ＲＡＮ４０４とＵＥ４０６との間のワイヤレス通信は、エアインタフェースを利用するものとして説明され得る。基地局（例えば、基地局４０８）から１つまたは複数のＵＥ（例えば、ＵＥ４０６）へのエアインタフェースを介した送信は、ダウンリンク（ＤＬ）送信と呼ばれ得る。本開示のある特定の態様によれば、ダウンリンクという用語は、ネットワークエンティティ（以下でさらに説明される、例えば、基地局４０８またはスケジューリングエンティティ）において生じるポイントツーマルチポイント送信を指し得る。この方式を説明するための別の方法は、ブロードキャストチャネル多重化という用語を使用することであり得る。ＵＥ（例えば、ＵＥ４０６）から基地局（例えば、基地局４０８）への送信は、アップリンク（ＵＬ）送信と呼ばれ得る。本開示のさらなる態様によれば、アップリンクという用語は、ＵＥ（以下でさらに説明される、例えば、ＵＥ４０６）において生じるポイントツーポイント送信を指し得る。
【００４４】
[0055]  いくつかの例では、エアインタフェースへのアクセスがスケジュールされ得、ここにおいて、ネットワークエンティティ（例えば、基地局４０８）は、そのサービスエリアまたはセル内のいくつかまたはすべてのデバイスおよび機器の間の通信のためのリソースを割り振る。本開示内では、以下でさらに説明するように、ネットワークエンティティは、１つまたは複数のスケジューリングされたエンティティのためのリソースをスケジュールすること、割り当てること、再構成すること、および解放することを担い得る。すなわち、スケジューリングされた通信の場合、スケジューリングされたエンティティであり得るＵＥ４０６は、ネットワークエンティティ４０８によって割り振られたリソースを利用し得る。
【００４５】
[0056]  基地局４０８は、スケジューリングエンティティとして機能し得る唯一のエンティティではない。すなわち、いくつかの事例では、ＵＥは、１つまたは複数のスケジューリングされたエンティティ（例えば、１つまたは複数の他のＵＥ）のためのリソースをスケジュールするネットワークエンティティとして機能し得る。
【００４６】
[0057]  図４に示すように、ネットワークエンティティ４０８は、１つまたは複数のスケジューリングされたエンティティ４０６にダウンリンクトラフィック４１２をブロードキャストし得る。概して、ネットワークエンティティ４０８は、ダウンリンクトラフィック４１２と、いくつかの例では、１つまたは複数のスケジューリングされたエンティティ４０６からネットワークエンティティ４０８へのアップリンクトラフィック４１６とを含む、ワイヤレス通信ネットワークにおけるトラフィックをスケジュールすることを担うノードまたはデバイスである。一方、ＵＥ４０６は、ネットワークエンティティ４０８などのワイヤレス通信ネットワーク内の別のエンティティから、スケジューリング情報（例えば、許可）、同期もしくはタイミング情報、または他の制御情報を含むがこれらに限定されないダウンリンク制御情報４１４を受信するノードまたはデバイスである。
【００４７】
[0058]  概して、基地局４０８は、ワイヤレス通信システムのバックホール部分４２０との通信のためのバックホールインタフェースを含み得る。バックホール４２０は、基地局４０８とコアネットワーク４０２との間のリンクを提供し得る。さらに、いくつかの例では、バックホールネットワークは、それぞれの基地局４０８の間の相互接続を提供し得る。任意の適切なトランスポートネットワークを使用する直接物理接続、仮想ネットワークまたは同様のものなど、様々なタイプのバックホールインタフェースが採用され得る。
【００４８】
[0059]  コアネットワーク４０２は、ワイヤレス通信システム４００の一部であり得、ＲＡＮ４０４において使用される無線アクセス技術とは無関係であり得る。いくつかの例では、コアネットワーク４０２は、５Ｇ規格（例えば、５ＧＣ）に従って構成され得る。他の例では、コアネットワーク４０２は、４Ｇ発展型パケットコア（ＥＰＣ）、または任意の他の適切な規格もしくは構成に従って構成され得る。
【００４９】
[0060]  ここで図５を参照すると、限定ではなく例として、ＲＡＮ５００の概略図が提供される。いくつかの例では、ＲＡＮ５００は、上記で説明し、図４に示したＲＡＮ４０４と同じであり得る。ＲＡＮ５００によってカバーされる地理的エリアは、１つのアクセスポイントまたは基地局からブロードキャストされた識別情報（identification）に基づいてユーザ機器（ＵＥ）によって一意に識別されることができるセルラ領域（セル）に分割され得る。図５は、マクロセル５０２、５０４、および５０６と、スモールセル５０８とを示し、それらの各々は、１つまたは複数のセクタ（図示せず）を含み得る。セクタは、セルのサブエリアである。１つのセル内のすべてのセクタは、同じ基地局によってサービス提供される。セクタ内の無線リンクは、そのセクタに属する単一の論理識別によって識別されることができる。セクタに分割されるセルでは、セル内の複数のセクタは、アンテナのグループによって形成され得、各アンテナは、セルの一部分にあるＵＥとの通信を担う。
【００５０】
[0061]  図５では、２つの基地局５１０および５１２がセル５０２および５０４中に示され、第３の基地局５１４がセル５０６中のリモート無線ヘッド（ＲＲＨ）５１６を制御するように示されている。すなわち、基地局は、統合（integrated）アンテナを有することができ、またはフィーダーケーブル（feeder cable）によってアンテナまたはＲＲＨに接続されることができる。図示された例では、セル５０２、５０４、および５０６は、基地局５１０、５１２、および５１４が大きいサイズを有するセルをサポートするので、マクロセルと呼ばれ得る。さらに、基地局５１８は、１つまたは複数のマクロセルと重複し得るスモールセル５０８（例えば、マイクロセル、ピコセル、フェムトセル、ホーム基地局、ホームノードＢ、ホームｅノードＢなど）中に示されている。この例では、セル５０８は、基地局５１８が比較的小さいサイズを有するセルをサポートするので、スモールセルと呼ばれ得る。セルのサイジングは、システム設計ならびに構成要素の制約に従って行われることができる。
【００５１】
[0062]  無線アクセスネットワーク５００は、任意の数のワイヤレス基地局およびセルを含み得ることを理解されたい。さらに、リレーノードは、所与のセルのサイズまたはカバレッジエリアを拡張するために展開され得る。基地局５１０、５１２、５１４、５１８は、任意の数のモバイル装置にコアネットワークへのワイヤレスアクセスポイントを提供する。いくつかの例では、基地局５１０、５１２、５１４、および／または５１８は、上記で説明し、図４に示した基地局／ネットワークエンティティ４０８と同じであり得る。
【００５２】
[0063]  図５は、基地局として機能するように構成され得るクアッドコプタ（quadcopter）またはドローン５２０をさらに含む。すなわち、いくつかの例では、セルは必ずしも静止していなくてもよく、セルの地理的エリアは、クアッドコプタ５２０などのモバイル基地局のロケーションに従って移動し得る。
【００５３】
[0064]  ＲＡＮ５００内で、セルは、各セルの１つまたは複数のセクタと通信している可能性があるＵＥを含み得る。さらに、各基地局５１０、５１２、５１４、５１８、および５２０は、それぞれのセル中のすべてのＵＥにコアネットワーク４０２（図４参照）へのアクセスポイントを提供するように構成され得る。例えば、ＵＥ５２２および５２４は基地局５１０と通信している可能性があり、ＵＥ５２６および５２８は基地局５１２と通信している可能性があり、ＵＥ５３０および５３２はＲＲＨ５１６によって基地局５１４と通信している可能性があり、ＵＥ５３４は基地局５１８と通信している可能性があり、ＵＥ５３６はモバイル基地局５２０と通信している可能性がある。いくつかの例では、ＵＥ５２２、５２４、５２６、５２８、５３０、５３２、５３４、５３６、５３８、５４０、および／または５４２は、上記で説明し、図４に示したＵＥ４０６と同じであり得る。
【００５４】
[0065]  いくつかの例では、モバイルネットワークノード（例えば、クアッドコプタ５２０）は、ＵＥとして機能するように構成され得る。例えば、クアッドコプタ５２０は、基地局５１０と通信することによってセル５０２内で動作し得る。
【００５５】
[0066]  ＲＡＮ５００のさらなる態様では、サイドリンク信号は、基地局からのスケジューリングまたは制御情報に必ずしも頼らずに、ＵＥ間で使用され得る。例えば、２つ以上のＵＥ（例えば、ＵＥ５２６および５２８）は、基地局（例えば、基地局５１２）を通してその通信を中継することなく、ピアツーピア（Ｐ２Ｐ）またはサイドリンク信号５２７を使用して互いに通信し得る。さらなる例では、ＵＥ５３８は、ＵＥ５４０および５４２と通信しているものとして示されている。ここで、ＵＥ５３８は、スケジューリングエンティティまたはプライマリサイドリンクデバイスとして機能し得、ＵＥ５４０および５４２は、スケジューリングされたエンティティまたは非プライマリ（例えば、セカンダリ）サイドリンクデバイスとして機能し得る。さらに別の例では、ＵＥは、デバイスツーデバイス（Ｄ２Ｄ）、ピアツーピア（Ｐ２Ｐ）、またはビークルツービークル（Ｖ２Ｖ：vehicle-to-vehicle）ネットワークにおいて、および／またはメッシュネットワークにおいて、スケジューリングエンティティとして機能し得る。メッシュネットワークの例では、ＵＥ５４０および５４２は、オプションで、スケジューリングエンティティ５３８と通信することに加えて、互いに直接通信し得る。したがって、時間周波数リソースへのスケジューリングされたアクセスを有し、セルラ構成、Ｐ２Ｐ構成、またはメッシュ構成を有するワイヤレス通信システムでは、スケジューリングエンティティおよび１つまたは複数のスケジューリングされたエンティティは、スケジューリングされたリソースを利用して通信し得る。
【００５６】
[0067]  無線アクセスネットワーク５００において、ＵＥが、そのロケーションとは無関係に、移動しながら通信するための能力は、モビリティと呼ばれる。ＵＥと無線アクセスネットワークとの間の様々な物理チャネルは、一般に、アクセスおよびモビリティ管理機能（ＡＭＦ、図示せず、図４のコアネットワーク４０２の一部）の制御下でセットアップされ、維持され、解放され、アクセスおよびモビリティ管理機能は、制御プレーン機能とユーザプレーン機能の両方のためのセキュリティコンテキストを管理するセキュリティコンテキスト管理機能（ＳＣＭＦ）と、認証を実行するセキュリティアンカー機能（ＳＥＡＦ）とを含み得る。
【００５７】
[0068]  本開示の様々な態様では、無線アクセスネットワーク５００は、モビリティおよびハンドオーバ（すなわち、ある無線チャネルから別の無線チャネルへのＵＥの接続の転送）を可能にするために、ＤＬベースのモビリティまたはＵＬベースのモビリティを利用し得る。ＤＬベースのモビリティのために構成されたネットワークでは、スケジューリングエンティティとの呼の間、または任意の他の時間に、ＵＥは、そのサービングセルからの信号の様々なパラメータ、ならびに近隣セルの様々なパラメータを監視し得る。これらのパラメータの品質に応じて、ＵＥは、近隣セルのうちの１つまたは複数との通信を維持し得る。この時間中に、ＵＥがあるセルから別のセルに移動する場合、または隣接セルからの信号品質が所与の時間量にわたってサービングセルからの信号品質を超える場合、ＵＥは、サービングセルから隣接（ターゲット）セルへのハンドオフまたはハンドオーバに着手し得る。例えば、ＵＥ５２４（車両として示されているが、如何なる適切な形態のＵＥも使用され得る）は、それのサービングセル５０２に対応する地理的エリアから隣接セル５０６に対応する地理的エリアに移動し得る。隣接セル５０６からの信号強度または品質が所与の時間量にわたってそのサービングセル５０２の信号強度または品質を超えるとき、ＵＥ５２４は、この状況を示す報告メッセージをそのサービング基地局５１０に送信し得る。それに応答して、ＵＥ５２４は、ハンドオーバコマンドを受信し得、ＵＥは、セル５０６へのハンドオーバを受け得る。
【００５８】
[0069]  ＵＬベースのモビリティのために構成されたネットワークでは、各ＵＥからのＵＬ基準信号は、各ＵＥのためのサービングセルを選択するためにネットワークによって利用され得る。いくつかの例では、基地局５１０、５１２、および５１４／５１６は、統合（unified）同期信号（例えば、統合プライマリ同期信号（ＰＳＳ）、統合セカンダリ同期信号（ＳＳＳ）、および統合物理ブロードキャストチャネル（ＰＢＣＨ））をブロードキャストし得る。ＵＥ５２２、５２４、５２６、５２８、５３０、および５３２は、統合同期信号を受信し、同期信号からキャリア周波数およびスロットタイミングを導出し、タイミングの導出に応答して、アップリンクパイロットまたは基準信号を送信し得る。ＵＥ（例えば、ＵＥ５２４）によって送信されたアップリンクパイロット信号は、無線アクセスネットワーク５００内の２つ以上のセル（例えば、基地局５１０および５１４／５１６）によって同時に受信され得る。セルの各々は、パイロット信号の強度を測定し得、無線アクセスネットワーク（例えば、基地局５１０および５１４／５１６のうちの１つまたは複数、ならびに／あるいはコアネットワーク内の中央ノード）は、ＵＥ５２４のためのサービングセルを決定し得る。ＵＥ５２４が無線アクセスネットワーク５００を通って移動するとき、ネットワークは、ＵＥ５２４によって送信されたアップリンクパイロット信号を監視し続け得る。隣接セルによって測定されるパイロット信号の信号強度または品質が、サービングセルによって測定される信号強度または品質の信号強度または品質を超えるとき、ネットワーク５００は、ＵＥ５２４に通知して、または通知せずに、サービングセルから隣接セルにＵＥ５２４をハンドオーバし得る。
【００５９】
[0070]  基地局５１０、５１２、および５１４／５１６によって送信される同期信号は統合され得るが、同期信号は、特定のセルを識別しない可能性があり、むしろ、同じ周波数上でおよび／または同じタイミングで動作する複数のセルのゾーンを識別し得る。５Ｇネットワークまたは他の次世代通信ネットワークにおけるゾーンの使用は、アップリンクベースのモビリティフレームワークを可能にし、ＵＥとネットワークの両方の効率を改善するが、それはＵＥとネットワークとの間で交換される必要があるモビリティメッセージの数が低減され得るからである。
【００６０】
[0071]  様々な実装形態では、無線アクセスネットワーク５００中のエアインタフェースは、ライセンススペクトル、アンライセンススペクトル、または共有スペクトルを利用し得る。ライセンススペクトルは、一般に、政府規制機関からライセンスを購入しているモバイルネットワーク事業者によって、スペクトルの一部の排他的使用を提供する。アンライセンススペクトルは、政府が認可したライセンスを必要とせずにスペクトルの一部の共有使用を提供する。アンライセンススペクトルにアクセスするためにいくつかの技術的規則への準拠が一般に依然として必要とされるが、一般に、任意の事業者またはデバイスがアクセスを獲得し得る。共有スペクトルは、ライセンススペクトルとアンライセンススペクトルとの間に入り得、ここにおいて、スペクトルにアクセスするために技術的ルールまたは制限が必要とされ得るが、スペクトルは、依然として複数の事業者および／または複数のＲＡＴによって共有され得る。例えば、ライセンススペクトルの一部分についてのライセンスのホルダは、例えば、アクセスを得るための適切なライセンシー決定条件を用いて、そのスペクトルを他の当事者と共有するために、ライセンス共有アクセス（ＬＳＡ）を提供し得る。
【００６１】
[0072]  無線アクセスネットワーク５００におけるエアインタフェースは、１つまたは複数の二重化（duplexing）アルゴリズムを利用し得る。二重（Duplex）は、両方のエンドポイントが両方向に互いに通信することができるポイントツーポイント通信リンクを指す。全二重とは、両方のエンドポイントが互いに同時に通信することができることを意味する。半二重とは、一度に一方のエンドポイントのみが他方に情報を送ることができることを意味する。ワイヤレスリンクでは、全二重チャネルは、一般に、送信機および受信機の物理的分離と、適切な干渉除去技術とに頼る。全二重エミュレーションは、周波数分割二重（ＦＤＤ）または時分割二重（ＴＤＤ）を利用することによって、ワイヤレスリンクのために頻繁に実装される。ＦＤＤでは、異なる方向における送信は、異なるキャリア周波数で動作する。ＴＤＤでは、所与のチャネル上の異なる方向における送信は、時分割多重化を使用して互いに分離される。すなわち、ある時には、チャネルは、１つの方向における送信専用であり、一方、他の時には、チャネルは、他の方向における送信専用であり、ここで方向は、非常に迅速に、例えば、スロット当たり数回、変化し得る。
【００６２】
[0073]  無線アクセスネットワーク５００中のエアインタフェースは、様々なデバイスの同時通信を可能にするために、１つまたは複数の多重化および多元接続アルゴリズムを利用し得る。例えば、５Ｇ  ＮＲ仕様は、サイクリックプレフィックス（ＣＰ）を有する直交周波数分割多重（ＯＦＤＭ）を利用して、ＵＥ５２２および５２４から基地局５１０へのＵＬ送信のための多元接続と、基地局５１０から１つまたは複数のＵＥ５２２および５２４へのＤＬ送信のための多重化とを提供する。加えて、ＵＬ送信の場合、５Ｇ  ＮＲ仕様は、ＣＰ（シングルキャリアＦＤＭＡ（ＳＣ−ＦＤＭＡ）とも呼ばれる）を用いた離散フーリエ変換拡散ＯＦＤＭ（ＤＦＴ−ｓ−ＯＦＤＭ）のためのサポートを提供する。しかしながら、本開示の範囲内で、多重化および多元接続は、上記の方式に限定されず、時分割多元接続（ＴＤＭＡ）、符号分割多元接続（ＣＤＭＡ）、周波数分割多元接続（ＦＤＭＡ）、スパース符号多元接続（ＳＣＭＡ）、リソース拡散多元接続（ＲＳＭＡ）、または他の適切な多元接続方式を利用して提供され得る。さらに、基地局５１０からＵＥ５２２および５２４へのＤＬ送信を多重化することは、時分割多重化（ＴＤＭ）、符号分割多重化（ＣＤＭ）、周波数分割多重化（ＦＤＭ）、直交周波数分割多重化（ＯＦＤＭ）、スパース符号多重化（ＳＣＭ）、または他の適切な多重化方式を利用して提供され得る。
【００６３】
[0074]  上記で説明されたチャネルまたはキャリアは、必ずしもスケジューリングエンティティとスケジューリングされたエンティティとの間で利用され得るすべてのチャネルまたはキャリアではなく、当業者は、図示されたものに加えて他のチャネルまたはキャリア、例えば、他のトラフィック、制御、およびフィードバックチャネルが利用され得ることを認識することを理解されたい。
【００６４】
[0075]  上記で説明したこれらの物理チャネルは、一般に、媒体アクセス制御（ＭＡＣ）レイヤにおいて処理するためにトランスポートチャネルに多重化およびマッピングされる。トランスポートチャネルは、トランスポートブロック（ＴＢ）と呼ばれる情報のブロックを搬送する。情報のビット数に対応し得るトランスポートブロックサイズ（ＴＢＳ）は、所与の送信におけるＲＢの数ならびに変調およびコーディング方式（ＭＣＳ）に基づく、制御されたパラメータであり得る。
【００６５】
[0076]  図１０は、ワイヤレスデバイスまたはユーザ機器／デバイス（ＵＥ）内でローミングのステアリング（ＳｏＲ）を実装するための別の例示的な方法を示す。ＵＥは、現在サービス提供しているＰＬＭＮを通してサービスを取得しようとし得る。ＵＥは、ワイヤレスサービスのためのローミングのステアリングを実行するように構成され得る１０１０。ＵＥは、ホームパブリックランドモバイルネットワーク（ＨＰＬＭＮ）に登録すると、メッセージ認証コード（ＭＡＣ−Ｓ）を受信し得、ＭＡＣ−Ｓは、暗黙的または明示的ＳｏＲインジケータを含む１０２０。
【００６６】
[0077]  ＵＥは、ＭＡＣ−Ｓ完全性を検証し得る１０４０。そのようなＭＡＣ−Ｓ完全性検証が失敗する（すなわち、受信されたＭＡＣ−Ｓが受信された情報と一致しない）場合には、ＵＥは、現在サービス提供しているＰＬＭＮを最低優先度に設定し得る、および／または代替ＰＬＭＮへの接続を優先し得る１０７０。ＭＡＣ−Ｓ完全性の検証に成功した場合には、ＵＥは、ＳｏＲリスト（例えば、更新されたステアリング情報）がＭＡＣ−Ｓに付随するかどうかを決定する１０４０。そのようなＳｏＲリストが利用可能である場合には、ＵＥは、受信されたＳｏＲリストに従ってＰＬＭＮ選択を管理する１０５０。そうではなく、更新されたＳｏＲリストが利用可能でない場合、ＵＥは、現在サービス提供しているＰＬＭＮを使用し続ける。
［例示的なネットワークエンティティ］
[0078]  図６は、処理システム６１４を採用するネットワークエンティティ６００のためのハードウェア実装形態の一例を示すブロック図である。例えば、ネットワークエンティティ６００は、本明細書で開示する図のうちの任意の１つまたは複数に示されるようなユーザ機器（ＵＥ）であり得る。別の例では、ネットワークエンティティ６００は、本明細書で開示する図のうちの任意の１つまたは複数にこれまた示されるような基地局であり得る。
【００６７】
[0079]  ネットワークエンティティ／デバイス６００は、処理回路６０４（例えば、１つまたは複数のプロセッサ）を含む処理システム６１４を用いて実装され得る。処理回路６０４の例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲート論理、個別ハードウェア回路、および本開示全体にわたって説明される様々な機能を実行するように構成された他の適切なハードウェアを含む。様々な例では、ネットワークエンティティ／デバイス６００は、本明細書で説明する機能のうちの任意の１つまたは複数を実行するように構成され得る。すなわち、処理回路６０４は、ネットワークエンティティ／デバイス６００において利用されるとき、以下で説明され、図７に示されるプロセスおよびプロシージャのうちの任意の１つまたは複数を実装するために使用され得る。
【００６８】
[0080]  この例では、処理システム６１４は、バス６０２によって概略的に表されるバスアーキテクチャを用いて実装され得る。バス６０２は、処理システム６１４の特定の用途および全体的な設計制約に応じて、任意の数の相互接続バスおよびブリッジを含み得る。バス６０２は、処理回路６０４、メモリ６０５、およびコンピュータ可読媒体（概してコンピュータ可読媒体６０６によって表される）を含む様々な回路を互いに通信可能に結合する。バス６０２はまた、タイミングソース、周辺機器、電圧調整器、および電力管理回路など様々な他の回路をリンクさせ得、それらは当技術分野でよく知られており、したがって、これ以上説明しない。バスインタフェース６０８は、バス６０２とトランシーバ６１０（例えば、送信機および受信機回路またはモジュール）との間のインタフェースを提供する。トランシーバ６１０は、送信媒体を介して様々な他の装置と通信するための通信インタフェースまたは手段を提供する。装置の性質に応じて、ユーザインタフェース６１２（例えば、キーパッド、ディスプレイ、スピーカー、マイクロフォン、ジョイスティック）も設けられ得る。
【００６９】
[0081]  本開示のいくつかの態様では、処理回路６０４は、例えば、ＳｏＲインジケータがパブリックランドモバイルネットワーク（ＰＬＭＮ）からの通信内に埋め込まれているかどうかを決定するようにＵＥが構成されたローミングのステアリング（ＳｏＲ）構成に従って動作するようにＵＥ８００（例えば、スケジューリングされたエンティティ、ワイヤレス通信デバイス、モバイルデバイス、モバイルフォンなど）を構成することを含む、様々な機能のために構成された構成回路６４０を含み得る。図示されたように、処理回路６０４はまた、様々な機能のために構成された生成回路６４２を含み得る。例えば、生成回路６４２は、ＳｏＲインジケータを生成するように構成され得、ここでＳｏＲインジケータは、ホームＰＬＭＮ（ＨＰＬＭＮ）に関連付けられる。処理回路６０４は、例えば、ＰＬＭＮを介してＨＰＬＭＮからＵＥにＳｏＲインジケータを送信することを含む、様々な機能のために構成された送信回路６４４をさらに含み得る。この目的のために、構成回路６４０、生成回路６４２、送信回路６４４の組合せは、本明細書で説明する機能のうちの１つまたは複数を実装するように構成され得ることを理解されたい。
【００７０】
[0082]  ネットワークエンティティ／デバイス６００の様々な他の態様も企図される。例えば、生成回路６４２は、複数の方法のうちのいずれかでＳｏＲインジケータを生成するように構成され得ることが企図される。生成回路６４２は、例えば、メッセージ認証コード（ＭＡＣ−Ｓ）内にＳｏＲインジケータを埋め込むように構成され得る。生成回路６４２はまた、複数の方法のうちのいずれかでＳｏＲインジケータを導出するように構成され得る。例えば、生成回路６４２は、ＵＥと共有される鍵（例えば、認証サーバ機能（ＡＵＳＦ）鍵またはＡＵＳＦ鍵から導出された鍵）からＳｏＲインジケータを導出するように構成され得ることが企図される。
【００７１】
[0083]  本開示の別の態様では、ＳｏＲ構成は、ＰＬＭＮからの通信内にＳｏＲインジケータが埋め込まれていないこと、またはＳｏＲインジケータが完全性検査に不合格であったことをＵＥが決定した場合、ＰＬＭＮの優先度を下げるようにＵＥを構成することを含み得ることが企図される。ＵＥが、通信内にＳｏＲインジケータが埋め込まれていないこと、またはＳｏＲインジケータが完全性検査に不合格であったことをＵＥが決定した場合、ＳｏＲ構成は、任意の代替ＰＬＭＮが利用可能である場合、ＰＬＭＮから代替ＰＬＭＮに切り替えるようにＵＥを構成することをさらに備え得る。
【００７２】
[0084]  ＳｏＲ構成はまた、ＰＬＭＮからの通信内にＳｏＲインジケータが埋め込まれていること、およびＳｏＲインジケータが完全性検査に合格したことをＵＥが決定した場合、ＰＬＭＮからの通信に更新されたステアリング情報がさらに埋め込まれているかどうかを確認するようにＵＥを構成することを含み得る。ここで、ＳｏＲ構成は、ＰＬＭＮからの通信に更新されたステアリング情報が埋め込まれている場合、ステアリング情報を更新するようにＵＥを構成することをさらに含み得る。代替的に、ＳｏＲ構成は、ＰＬＭＮからの通信に更新されたステアリング情報が埋め込まれていない場合、ＰＬＭＮとの接続を維持するようにＵＥを構成することを備え得る。
【００７３】
[0085]  ネットワークエンティティ／デバイス６００の残りの構成要素を再び参照して、プロセッサ６０４は、コンピュータ可読媒体６０６上に記憶されたソフトウェアの実行を含む一般的な処理およびバス６０２を管理することを担うことを理解されたい。ソフトウェアは、プロセッサ６０４によって実行されると、処理システム６１４に、任意の特定の装置について以下で説明する様々な機能を実行させる。コンピュータ可読媒体６０６およびメモリ６０５はまた、ソフトウェアを実行するときにプロセッサ６０４によって操作されるデータを記憶するために使用され得る。
【００７４】
[0086]  処理システム中の１つまたは複数のプロセッサ６０４は、ソフトウェアを実行し得る。ソフトウェアは、ソフトウェア、ファームウェア、ミドルウェア、マイクロコード、ハードウェア記述言語、またはその他の名称に関わらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるものとする。ソフトウェアは、コンピュータ可読媒体６０６上に存在し得る。コンピュータ可読媒体６０６は、非一時的コンピュータ可読媒体であり得る。非一時的コンピュータ可読媒体は、例として、磁気記憶デバイス（例えば、ハードディスク、フロッピー（登録商標）ディスク、磁気ストリップ）、光ディスク（例えば、コンパクトディスク（ＣＤ）またはデジタル多用途ディスク（ＤＶＤ））、スマートカード、フラッシュメモリデバイス（例えば、カード、スティック、またはキードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、ならびにアクセスされ得るおよびコンピュータによって読み取られ得るソフトウェアおよび／または命令を記憶するための任意の他の好適な媒体を含む。コンピュータ可読媒体はまた、例として、搬送波、伝送線、ならびにコンピュータによってアクセスされ得るおよび読み取られ得るソフトウェアおよび／または命令を送信するための任意の他の適切な媒体を含み得る。コンピュータ可読媒体６０６は、処理システム６１４内に存在するか、処理システム６１４の外部に存在するか、または処理システム６１４を含む複数のエンティティにわたって分散され得る。コンピュータ可読媒体６０６は、コンピュータプログラム製品において具現化され得る。例として、コンピュータプログラム製品は、パッケージング材料におけるコンピュータ可読媒体を含み得る。当業者は、特定の用途および全体的なシステムに課された全体的な設計制約に応じて、本開示全体にわたって提示された説明された機能をどのように最良に実装するかを認識するであろう。
【００７５】
[0087]  １つまたは複数の例では、コンピュータ可読記憶媒体６０６は、例えば、ＳｏＲインジケータがＰＬＭＮからの通信内に埋め込まれているかどうかを決定するようにＵＥが構成されるＳｏＲ構成に従って動作するようにＵＥ８００（例えば、スケジューリングされたエンティティ、ワイヤレス通信デバイス、モバイルデバイス、モバイルフォンなど）を構成することを含む、様々な機能を実行するための構成命令６５２を含み得る。図示されたように、コンピュータ可読記憶媒体６０６はまた、様々な機能のために構成された生成ソフトウェア６５４を含み得る。例えば、生成命令６５４は、ＳｏＲインジケータを生成するように機能し得、ここでＳｏＲインジケータは、ホームＰＬＭＮ（ＨＰＬＭＮ）に関連付けられる。コンピュータ可読記憶媒体６０６は、例えば、ＰＬＭＮを介してＨＰＬＭＮからＵＥにＳｏＲインジケータを送信することを含む、様々な機能を実行するための送信命令６５６をさらに含み得る。
【００７６】
[0088]  特定の構成では、ネットワークエンティティ／デバイス６００は、ＳｏＲ構成に従って動作するようにＵＥを構成するための手段と、ＳｏＲインジケータを生成するための手段と、ＳｏＲインジケータを送信するための手段とを含むことも企図される。一態様では、上述の手段は、上述の手段によって具陳された機能を実行するように構成されたプロセッサ（１つまたは複数）６０４であり得る。別の態様では、上述の手段は、上述の手段によって具陳された機能を実行するように構成された回路または任意の装置であり得る。
【００７７】
[0089]  もちろん、上記の例では、処理回路６０４に含まれる回路は単に一例として提供されているのであり、説明した機能を実行するための他の手段が本開示の様々な態様内に含まれ得、それは、限定はしないが、コンピュータ可読記憶媒体６０６に記憶された命令、または本明細書で説明される任意の他の適切な装置もしくは手段を含み、および、例えば、図７に関して説明されるプロセスおよび／またはアルゴリズムを利用する。
【００７８】
[0090]  図７では、本開示のいくつかの態様を容易にする例示的なネットワークエンティティプロセスを示すフローチャートが提供される。以下で説明するように、本開示の範囲内の特定の実装形態では、いくつかまたはすべての例示された特徴が省略され得、すべての実施形態の実装形態にいくつかの例示された特徴が必要とされない可能性がある。いくつかの例では、プロセス７００は、図６に示すネットワークエンティティ／デバイス６００によって実行され得る。いくつかの例では、プロセス７００は、以下で説明する機能またはアルゴリズムを実行するための任意の適切な装置または手段によって実行され得る。
【００７９】
[0091]  プロセス７００は、ブロック７１０において、ネットワークエンティティ／デバイス６００が、ＳｏＲインジケータがＰＬＭＮからの通信内に埋め込まれているかどうかを決定するようにＵＥが構成されるＳｏＲ構成に従って動作するようにＵＥを構成することによって、開始する。次いで、プロセス７００はブロック７２０に進み、ここで、ネットワークエンティティ６００は、ＳｏＲインジケータがＨＰＬＭＮに関連付けられるように、ＳｏＲインジケータを取得（例えば、受信）または生成する。次いで、プロセス７００は、ネットワークエンティティ６００がＰＬＭＮを介してＨＰＬＭＮからＵＥにＳｏＲインジケータを送信するブロック７３０において終了する。
［例示的なユーザ機器］
[0092]  図８は、処理システム８１４を採用する例示的なユーザ機器（ＵＥ）８００のためのハードウェア実装形態の一例を示す概念図である。本開示の様々な態様によれば、要素、または要素の任意の部分、または要素の任意の組合せは、処理システム８１４を用いて実装され得る。例えば、ＵＥ８００は、ワイヤレスデバイス、モバイルデバイス、モバイルフォン、スケジューリングされたエンティティなどであり得る。
【００８０】
[0093]  処理システム８１４は、図６に示す処理システム６１４と実質的に同じであり得、バスインタフェース８０８、バス８０２、メモリ８０５、処理回路８０４（例えば、１つまたは複数のプロセッサ）、およびコンピュータ可読媒体８０６を含む。さらに、ＵＥ８００は、図６において上記で説明したものと実質的に同様のユーザインタフェース８１２およびトランシーバ８１０を含み得る。すなわち、ＵＥ８００において利用される処理回路８０４は、以下で説明され、様々な図に示されるプロセスのうちの任意の１つまたは複数を実装するために使用され得る。
【００８１】
[0094]  本開示のいくつかの態様では、処理回路８０４は、例えば、パブリックランドモバイルネットワーク（ＰＬＭＮ）から通信を受信することを含む、様々な機能のために構成された受信回路８４０を含み得、ここにおいて、通信は、ＰＬＭＮへのＵＥ登録の受容を示す。図示されたように、処理回路８０４はまた、様々な機能のために構成された決定回路８４２を含み得る。例えば、決定回路８４２は、ホームＰＬＭＮ（ＨＰＬＭＮ）に関連付けられたローミングのステアリング（ＳｏＲ）インジケータが通信内に埋め込まれているかどうかの決定を実行するように構成され得る。処理回路８０４は、例えば、決定に従ってＰＬＭＮ選択を管理することを含む、様々な機能のために構成されたステアリング回路８４４をさらに含み得る。この目的のために、受信回路８４０、決定回路８４２、およびステアリング回路８４４の組合せは、本明細書で説明する機能のうちの１つまたは複数を実装するように構成され得ることを理解されたい。
【００８２】
[0095]  ＵＥ８００のための様々な他の態様も企図される。例えば、決定回路８４２は、複数の方法のうちのいずれかで通信内にＳｏＲインジケータが埋め込まれているかどうかを決定するように構成され得ることが企図される。決定回路８４２は、例えば、通信の一部として受信されるメッセージ認証コード（ＭＡＣ−Ｓ）を使用して、ＳｏＲインジケータを検証するように構成され得る。決定回路８４２はまた、ＨＰＬＭＮと共有される鍵（例えば、認証サーバ機能（ＡＵＳＦ）鍵またはＡＵＳＦ鍵から導出された鍵）を利用することによって決定を実行するように構成され得る。
【００８３】
[0096]  本開示の別の態様では、決定回路８４２は、通信内にＳｏＲインジケータが埋め込まれていないか、またはＳｏＲインジケータが完全性検査に不合格であったかの決定を行うように構成され得、ここでステアリング回路８４４は次いで、ＰＬＭＮの優先度を下げるように構成され得ることが企図される。決定回路８４２が、通信内にＳｏＲインジケータが埋め込まれていないこと、またはＳｏＲインジケータが完全性検査に不合格であったことを実際に決定した場合、ステアリング回路８４４は、任意の代替ＰＬＭＮが利用可能である場合には、ＰＬＭＮから代替ＰＬＭＮに切り替えるように構成され得る。
【００８４】
[0097]  決定回路８４２はまた、通信内にＳｏＲインジケータが埋め込まれていること、およびＳｏＲインジケータが完全性検査に合格したことの決定を行うように構成され得、ここでステアリング回路８４４は次いで、通信に更新されたステアリング情報がさらに埋め込まれているかどうかを確認するように構成され得る。ここで、ステアリング回路８４４は、通信に更新されたステアリング情報が埋め込まれている場合、ステアリング情報を更新するように構成され得る。代替的に、ステアリング回路８４４は、通信に更新されたステアリング情報が埋め込まれていない場合には、ＰＬＭＮとの接続を維持するように構成され得る。
【００８５】
[0098]  図６の処理回路６０４と同様に、処理回路８０４は、コンピュータ可読媒体８０６上に記憶されたソフトウェアの実行を含む一般的な処理およびバス８０２を管理することを担う。ソフトウェアは、処理回路８０４によって実行されると、処理システム８１４に、任意の特定の装置について以下で説明する様々な機能を実行させる。コンピュータ可読媒体８０６およびメモリ８０５はまた、ソフトウェアを実行するときに処理回路８０４によって操作されるデータを記憶するために使用され得る。
【００８６】
[0099]  処理システム中の処理回路８０４はソフトウェアを実行し得る。ソフトウェアは、ソフトウェア、ファームウェア、ミドルウェア、マイクロコード、ハードウェア記述言語、またはその他の名称に関わらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるものとする。ソフトウェアは、コンピュータ可読媒体８０６上に存在し得る。コンピュータ可読媒体６０６と同様に、コンピュータ可読媒体８０６は、実質的に同様の特性を備える非一時的コンピュータ可読媒体であり得る。コンピュータ可読媒体８０６は、処理システム８１４内に存在するか、処理システム８１４の外部に存在するか、または処理システム８１４を含む複数のエンティティにわたって分散され得る。コンピュータ可読媒体６０６と同様に、コンピュータ可読媒体８０６は、実質的に同様の特性を備えるコンピュータプログラム製品において具現化され得ることも理解されたい。
【００８７】
[0100]  １つまたは複数の例では、コンピュータ可読記憶媒体８０６は、例えば、ＰＬＭＮから通信を受信することを含む、様々な機能を実行するように構成された受信命令８５２を含み得、ここで通信は、ＰＬＭＮへのＵＥ登録の受容を示す。図示されたように、コンピュータ可読媒体８０６はまた、様々な機能を実行するように構成された決定命令８５４を含み得る。例えば、決定ソフトウェア８５４は、ＨＰＬＭＮに関連付けられたＳｏＲインジケータが通信内に埋め込まれているかどうかの決定を実行するように構成され得る。コンピュータ可読媒体８０６は、例えば、決定に従ってＰＬＭＮ選択を管理することを含む、様々な機能を実行するように構成されたステアリング命令８５６をさらに含み得る。この目的のために、受信ソフトウェア８５２、決定命令８５４、およびステアリング命令８５６の組合せは、本明細書で説明する機能のうちの１つまたは複数を実装するように構成され得ることを理解されたい。
【００８８】
[0101]  特定の構成では、ＵＥ８００は、ＰＬＭＮからの通信のための手段と、ＨＰＬＭＮに関連付けられたＳｏＲインジケータが通信内に埋め込まれているかどうかの決定を実行するための手段と、決定に従ってＰＬＭＮ選択を管理するための手段とを含むことも企図される。一態様では、上述の手段は、上述の手段によって具陳された機能を実行するように構成された処理回路８０４であり得る。別の態様では、上述の手段は、上述の手段によって具陳された機能を実行するように構成された回路または任意の装置であり得る。
【００８９】
[0102]  もちろん、上記の例では、処理回路８０４に含まれる回路は単に一例として提供されているのであり、説明した機能を実行するための他の手段が本開示の様々な態様内に含まれ得、それは、限定はしないが、コンピュータ可読記憶媒体８０６に記憶された命令、または本明細書で説明した任意の他の適切な装置もしくは手段を含み、および、例えば、図９に関して説明されるプロセスおよび／またはアルゴリズムを利用する。
【００９０】
[0103]  図９では、本開示のいくつかの態様を実行するための例示的なＵＥプロセスを示すフローチャートが提供される。以下で説明するように、本開示の範囲内の特定の実装形態では、いくつかまたはすべての例示された特徴が省略され得、すべての実施形態の実装形態にいくつかの例示された特徴が必要とされない可能性がある。いくつかの例では、プロセス９００は、図８に示すＵＥ８００によって実行され得る。いくつかの例では、プロセス９００は、以下で説明する機能またはアルゴリズムを実行するための任意の適切な装置または手段によって実行され得る。
【００９１】
[0104]  プロセス９００は、ブロック９１０において、ＵＥ８００が、ＰＬＭＮへのＵＥ登録の受容を示す通信をＰＬＭＮから受信することによって開始する。ブロック９１０において通信が受信されると、プロセス９００はブロック９２０に進み、ここでＵＥ８００は、ＨＰＬＭＮに関連付けられたＳｏＲインジケータが通信内に埋め込まれているかどうかを確認または決定する。次いで、プロセス９００は、ＵＥ８００が決定に従ってＰＬＭＮ選択を管理するブロック９３０において終了する。
【００９２】
[0105]  ワイヤレス通信ネットワークのいくつかの態様が、例示的な実装形態を参照しながら提示された。当業者が容易に理解するように、本開示全体にわたって説明する様々な態様は、他の電気通信システム、ネットワークアーキテクチャ、および通信規格に拡張され得る。
【００９３】
[0106]  例として、様々な態様は、ロングタームエボリューション（ＬＴＥ）、発展型パケットシステム（ＥＰＳ）、ユニバーサルモバイルテレコミュニケーションシステム（ＵＭＴＳ）、および／またはモバイルのためのグローバルシステム（ＧＳＭ）など、３ＧＰＰによって定義された他のシステム内で実装され得る。様々な態様はまた、ＣＤＭＡ２０００および／またはＥＶ−ＤＯ（Evolution-Data Optimized）など、第３世代パートナーシッププロジェクト２（３ＧＰＰ２）によって定義されたシステムに拡張され得る。他の例は、ＩＥＥＥ８０２．１１（Ｗｉ−Ｆｉ）、ＩＥＥＥ８０２．１６（ＷｉＭＡＸ）、ＩＥＥＥ８０２．２０、超広帯域（ＵＷＢ）、Ｂｌｕｅｔｏｏｔｈ、および／または他の適切なシステムを採用するシステム内で実装され得る。用いられる実際の電気通信規格、ネットワークアーキテクチャ、および／または通信規格は、特定の用途およびシステムに課される全体的な設計制約に依存する。
【００９４】
[0107]  本開示内では、「例示的な（exemplary）」という用語は、「例、事例、または例示としての役割を果たす」という意味で使用される。「例示的」であるとここで説明されたいずれのインプリメンテーションまたは態様も、必ずしも、本開示の他の態様よりも好ましいまたは有利であると解釈されるべきではない。同様に、「態様（aspects）」という用語は、本開示のすべての態様が、説明された特徴、利点または動作のモードを含むことを必要としない。「結合された（coupled）」という用語は、２つのオブジェクト間の直接的なまたは間接的な結合を指すようにここで使用される。例えば、オブジェクトＡが物理的にオブジェクトＢに接触しており、そしてオブジェクトＢがオブジェクトＣに接触している場合、オブジェクトＡおよびＣは、それらが直接的には物理的に互いに接触していなくても、互いに結合されていると考えられ得る。例えば、第１のオブジェクトは、第１のオブジェクトが直接的には少しも第２のオブジェクトと物理的に接触していなくても、第２のオブジェクトに結合され得る。「回路（circuit）」および「回路構成（circuitry）」という用語は、大まかに使用されており（used broadly）、電子回路のタイプに関して限定されることなく、接続および構成されるとき、本開示に説明された機能のパフォーマンスを可能にする電気的なデバイスおよびコンダクタのハードウェアインプリメンテーション、ならびに、プロセッサによって実行されるとき、本開示に説明された機能のパフォーマンスを可能にする情報および命令のソフトウェアインプリメンテーションの両方を含むように意図されている。
【００９５】
[0108]  図１〜図９に例示されるコンポーネント、ステップ、特徴、および／または機能のうちの１つまたは複数は、単一のコンポーネント、ステップ、特徴、または機能に再配列され得るおよび／または組み合わせられ得るか、または、いくつかのコンポーネント、ステップ、または機能において具現化され得る。追加的な要素、コンポーネント、ステップ、および／または機能もまた、本明細書で開示する新規の特徴から逸脱することなく、追加され得る。図１〜図９に例示される装置、デバイス、および／またはコンポーネントは、本明細書に説明される方法、特徴、または、ステップのうちの１つまたは複数を実施するように構成され得る。ここに説明される新規のアルゴリズムはまた、効率的に、ソフトウェアにおいてインプリメントされ得る、および／またはハードウェアに埋め込まれ得る。
【００９６】
[0109]  開示された方法におけるステップの固有の順序または階層は、例示的な処理の例示であることは理解されるべきである。設計選好に基づいて、方法におけるステップの固有の順序または階層は、再配列され得ることは理解される。附随の方法の請求項は、サンプルの順序で様々なステップの要素を提示しているのであり、そこに具体的に記載されていない限り、提示された固有の順序または階層に限定されることを意味するものではない。
【００９７】
[0110]  先の説明は、当業者が、ここに説明された様々な態様を実施することができるように提供されている。これらの態様に対する様々な変更は、当業者に容易に理解されるものであり、ここに定義された一般的な原理は、他の態様に適用され得る。したがって、特許請求の範囲は、ここに示される態様に限定されるようには意図されておらず、請求項の文言と一致する最大の範囲を認められるべきであり、ここで、ある要素への単数形での言及は、そのように明確に述べられていない限りは、「１つおよび１つのみ」を意味するのではなく、「１つまたは複数」を意味するように意図されている。そうでないとの明確な記載がない限り、「いくつかの／何らかの（some）」という用語は、１つまたは複数を指す。複数の項目のリスト「のうちの少なくとも１つ」に言及する表現は、単一のメンバ（single members）を含む、それらの項目のいかなる組合せも指す。例として、「ａ、ｂ、またはｃのうちの少なくとも１つ」は、ａ、ｂ、ｃ、ａおよびｂ、ａおよびｃ、ｂおよびｃ、ならびにａ、ｂおよびｃをカバーするように意図されている。当業者に知られている、あるいは後に知られることになる、本開示全体にわたって説明された様々な態様の要素に対するすべての構造的および機能的な同等物は、参照によってここに明示的に組み込まれ、特許請求の範囲に包含されるように意図されている。さらに、本明細書におけるいかなる開示も、そのような開示が特許請求の範囲に明確に記載されているか否かに関わらず、公衆に献呈されることを意図したものではない。
【図１】
2021520712.tif 000003
【図２】
2021520712.tif 000004
【図３】
2021520712.tif 000005
【図４】
2021520712.tif 000006
【図５】
2021520712.tif 000007
【図６】
2021520712.tif 000008
【図７】
2021520712.tif 000009
【図８】
2021520712.tif 000010
【図９】
2021520712.tif 000011
【図１０】
2021520712.tif 000012
【国際調査報告】
2021520712.tif 000013
2021520712.tif 000014
2021520712.tif 000015
2021520712.tif 000016